(57)【要約】【課題】電気光学装置において、位相差補正回路によって駆動回路の適切な動作を可能とし、且つ、装置全体の小型化を図る。【解決手段】クロック信号端子（５１１）から位相差補正回路（５００）までを分岐なしで且つ位相差補正回路から走査線駆動回路（１０４Ｒ）までを分岐なしで接続してクロック信号ＣＬＸをクロック信号端子から位相差補正回路を介して走査線駆動回路（１０４Ｒ）へ供給すると共に、走査線駆動回路（１０４Ｒ）から走査線駆動回路（１０４Ｌ）までを分岐なしで接続してクロック信号を走査線駆動回路（１０４Ｒ）から走査線駆動回路（１０４Ｌ）へ供給するクロック信号線（５２１）を備える。【選択図】  図８
2005003988.tif 000002
【特許請求の範囲】
【請求項１】
素子基板上における画像表示領域に、一定方向に延在する複数のデータ線及び該データ線に交差する方向に延在する複数の走査線と、前記データ線及び前記走査線を介して供給される信号によって駆動される画素部とを備えており、
前記画像表示領域の周辺に位置する周辺領域に、第１クロック信号及び該第１クロック信号に対して逆位相の第２クロック信号に基づいて前記走査線及び前記データ線のうち一方の配線を駆動する第１駆動回路と、該第１駆動回路に対して前記画像表示領域を挟んで対向配置され且つ前記一方の配線の他端側に接続されると共に前記第１及び第２クロック信号に基づいて前記一方の配線を駆動する第２駆動回路と、前記第１及び第２クロック信号が外部回路から夫々供給される第１及び第２端子と、該第１及び第２端子と前記第１駆動回路との間に介在すると共に前記第１及び第２クロック信号間の位相差を補正する位相差補正回路と、前記第１端子から前記位相差補正回路までを分岐なしで且つ前記位相差補正回路から前記第１駆動回路までを分岐なしで接続して前記第１クロック信号を前記第１端子から前記位相差補正回路を介して前記第１駆動回路へ供給すると共に前記第１駆動回路から前記第２駆動回路までを分岐なしで接続して前記第１クロック信号を前記第１駆動回路から前記第２駆動回路へ供給する第１信号線と、前記第２端子から前記位相差補正回路までを分岐なしで且つ前記位相差補正回路から前記第１駆動回路までを分岐なしで接続して前記第２クロック信号を前記第２端子から前記位相差補正回路を介して前記第１駆動回路へ供給すると共に前記第１駆動回路から前記第２駆動回路までを分岐なしで接続して前記第２クロック信号を前記第１駆動回路から前記第２駆動回路へ供給する第２信号線とを備えたことを特徴とする電気光学装置。
【請求項２】
素子基板上における画像表示領域に、一定方向に延在する複数のデータ線及び該データ線に交差する方向に延在する複数の走査線と、前記データ線及び前記走査線を介して供給される信号によって駆動される画素部とを備えており、
前記画像表示領域の周辺に位置する周辺領域に、第１クロック信号及び該第１クロック信号と逆位相の第２クロック信号に基づいて前記走査線及び前記データ線のうち一方の配線を駆動する第１駆動回路と、該第１駆動回路に対して前記画像表示領域を挟んで対向配置され且つ前記一方の配線の他端側に接続されると共に前記第１及び第２クロック信号に基づいて前記一方の配線を駆動する第２駆動回路と、前記第１及び第２クロック信号が外部回路から夫々供給される第１及び第２端子と、該第１及び第２端子と前記第１及び第２駆動回路との間に介在すると共に前記第１及び第２クロック信号間の位相差を補正する位相差補正回路と、前記第１端子から前記位相差補正回路までを分岐なしで接続して且つ前記位相差補正回路から前記第１及び第２駆動回路までを夫々接続して前記第１クロック信号を前記第１端子から前記位相差補正回路を介して前記第１及び第２駆動回路夫々へ供給する第１信号線と、前記第２端子から前記位相差補正回路までを分岐なしで接続して且つ前記位相差補正回路から前記第１及び第２駆動回路までを夫々接続して前記第２クロック信号を前記第２端子から前記位相差補正回路を介して前記第１及び第２駆動回路へ夫々供給する第２信号線とを備えたことを特徴とする電気光学装置。
【請求項３】
前記位相差補正回路は、前記第１及び第２駆動回路に対して対称の位置に配置されていることを特徴とする請求項２に記載の電気光学装置。
【請求項４】
前記第１信号線は、前記位相差補正回路から前記第１及び第２駆動回路までを夫々分岐なしで接続し、
前記第２信号線は、前記位相差補正回路から前記第１及び第２駆動回路までを夫々分岐なしで接続することを特徴とする請求項２又は３に記載の電気光学装置。
【請求項５】
前記素子基板に対向配置される対向基板を更に備えており、
前記素子基板及び前記対向基板は、前記周辺領域においてシール材によって互いに貼り合わされており、
前記第１及び第２駆動回路は、前記周辺領域のうち、前記シール材が配置されるシール領域の外周よりも内側の領域に配置されることを特徴とする請求項１から４のいずれか一項に記載の電気光学装置。
【請求項６】
前記位相差補正回路は、前記周辺領域のうち、前記シール領域の外周よりも内側の領域に配置されることを特徴とする請求項５に記載の電気光学装置。
【請求項７】
前記第１及び第２信号線の少なくとも一部は、前記周辺領域のうち、前記シール領域の外周よりも内側の領域に配置されることを特徴とする請求項５又は６に記載の電気光学装置。
【請求項８】
前記周辺領域の一部に、複数の前記第１信号線及び複数の前記第２信号線が互いに近接して一定方向に延在し且つ交互に配列されていることを特徴とする請求項１から７のいずれか一項に記載の電気光学装置。
【請求項９】
請求項１から８のいずれか一項に記載の電気光学装置を具備してなることを特徴とする電子機器。
【発明の詳細な説明】
【０００１】
【発明の属する技術分野】
本発明は、例えば液晶装置等の電気光学装置及び該電気光学装置を備えてなる例えば液晶プロジェクタ等の電子機器の技術分野に属する。
【０００２】
【背景技術】
この種の電気光学装置は、例えば、走査線駆動回路等の駆動回路に備えられたシフトレジスタ回路から、走査線に走査信号を順次出力するように構成されている。
【０００３】
このような駆動回路の構成において、シフトレジスタ回路からの走査信号の出力は、走査線駆動回路に供給されるクロック信号及び該クロック信号が反転した反転クロック信号のクロック周期に同期して行われるのが一般的である。ここで一般には、クロック信号と反転クロック信号との間の位相差は、それらの生成方式に応じて、反転状態に対応する理想的な位相差である１８０度から大なり小なりずれている。
【０００４】
そこで従来は、例えば特許文献１に開示されているように、クロック信号及び反転クロック信号がシフトレジスタ回路に入力される手前で、これらのクロック信号及び反転クロック信号間の位相差を補正する位相差補正回路を設ける技術が開発されている。この技術によれば、極めて反転状態に近いクロック信号及び反転クロック信号を得ることができ、これらによって、走査線駆動回路における駆動動作を高精度で行うことが可能とされている。
【０００５】
【特許文献１】
特開２００１−１６６７４３号公報
【０００６】
【発明が解決しようとする課題】
このように位相差補正回路は、素子基板上において、画像表示領域の周辺領域に配置される。しかしながら、位相差補正回路の配置方法或いはそれに接続される信号配線の引き廻し方法によっては、素子基板上に比較的広いスペースを配線レイアウトや回路レイアウトのために確保する必要がある。この結果、電気光学装置全体の小型化が困難になるという問題点がある。
【０００７】
加えて、例えば、上述の走査線駆動回路は、複数の走査線に対するその駆動能力に応じて、画像表示領域を挟んでその両側に分断されて形成される場合がある。このような場合には、二つに分断されて形成された走査線駆動回路の夫々に対応して、位相差補正回路及び外部回路との接続端子を設けるよう構成する方法も考えられなくはない。しかしながら、この方法では、位相差補正回路及びこれらを接続する各信号配線のためのスペースが更に必要となり、また、増設された接続端子のために外部回路側にもこれと対応する端子を更に設けること等が必要となる。従って、この方法は、素子基板の小型化或いは電気光学装置全体の小型化を図る際の障害となってしまうという問題点がある。
【０００８】
本発明は上記問題点に鑑みなされたものであり、位相差補正回路によって適切な動作が可能な駆動回路を備え、且つ、装置全体の小型化を図ることが可能である電気光学装置、及び該電気光学装置を備えてなる各種電子機器を提供することを課題とする。
【０００９】
【課題を解決するための手段】
本発明の第１の電気光学装置は上記課題を解決するために、素子基板上における画像表示領域に、一定方向に延在する複数のデータ線及び該データ線に交差する方向に延在する複数の走査線と、前記データ線及び前記走査線を介して供給される信号によって駆動される画素部とを備えており、前記画像表示領域の周辺に位置する周辺領域に、第１クロック信号及び該第１クロック信号に対して逆位相の第２クロック信号に基づいて前記走査線及び前記データ線のうち一方の配線を駆動する第１駆動回路と、該第１駆動回路に対して前記画像表示領域を挟んで対向配置され且つ前記一方の配線の他端側に接続されると共に前記第１及び第２クロック信号に基づいて前記一方の配線を駆動する第２駆動回路と、前記第１及び第２クロック信号が外部回路から夫々供給される第１及び第２端子と、該第１及び第２端子と前記第１駆動回路との間に介在すると共に前記第１及び第２クロック信号間の位相差を補正する位相差補正回路と、前記第１端子から前記位相差補正回路までを分岐なしで且つ前記位相差補正回路から前記第１駆動回路までを分岐なしで接続して前記第１クロック信号を前記第１端子から前記位相差補正回路を介して前記第１駆動回路へ供給すると共に前記第１駆動回路から前記第２駆動回路までを分岐なしで接続して前記第１クロック信号を前記第１駆動回路から前記第２駆動回路へ供給する第１信号線と、前記第２端子から前記位相差補正回路までを分岐なしで且つ前記位相差補正回路から前記第１駆動回路までを分岐なしで接続して前記第２クロック信号を前記第２端子から前記位相差補正回路を介して前記第１駆動回路へ供給すると共に前記第１駆動回路から前記第２駆動回路までを分岐なしで接続して前記第２クロック信号を前記第１駆動回路から前記第２駆動回路へ供給する第２信号線とを備える。
【００１０】
本発明の第１の電気光学装置によれば、その動作時には、画像表示領域に設けられた画素部に対して、周辺領域に設けられた、例えば走査線駆動回路等の駆動回路から走査線を介して走査信号が供給されつつ、例えばデータ線駆動回路等の駆動回路からデータ線を介して画像信号が供給される。これらにより、画像表示が行われる。このような駆動回路は、走査線及びデータ線のうち一方の配線の一端側に電気的に接続された第１駆動回路と、該一方の配線の他端側に電気的に接続された第２駆動回路とを含んで構成されている。そして、第１及び第２駆動回路の夫々が、外部回路から供給される第１クロック信号及びその逆位相の信号である第２クロック信号に基づいて、上記一方の配線を駆動する。この際、第１及び第２駆動回路は、画像表示領域を挟んで対向配置されており、一方の配線として例えば同一走査線をその両端から駆動するように構成してもよい。或いは、例えば複数の走査線の配列中、第２ｎ（但し、ｎ＝１、２、３、…）本目の走査線を夫々、一方の端から第１駆動回路で駆動し、第２ｎ−１本目の走査線を夫々、他方の端から第２駆動回路で駆動するように構成してもよい。
【００１１】
そして、このような動作中、位相差補正回路によって、第１及び第２駆動回路に入力される前の第１クロック信号と、第２クロック信号との間の位相差は、補正される。従って、想定された位相差（例えば、１８０度の位相差）に極めて近い理想状態にある第１及び第２クロック信号を各駆動回路に入力させることが可能となり、これによって、各駆動回路における駆動動作を高精度で行うことが可能とされる。
【００１２】
ここで特に、第１信号線は、外部回路より第１クロック信号が供給される第１端子から位相差補正回路までの間、位相差補正回路から第１駆動回路までの間、及び第１駆動回路から第２駆動回路までの間を分岐なしで接続する。一方、同様に第２信号線は、第２クロック信号が供給される第２端子から位相差補正回路までの間、位相差補正回路から第１駆動回路までの間、及び第１駆動回路から第２駆動回路までの間を分岐なしで接続する。このように接続することにより、素子基板上の周辺領域に分岐されずに延設される一対の第１及び第２信号線を介して、第１及び第２端子、位相差補正回路、第１駆動回路、及び第２駆動回路をこの順で直列に接続して配置させるが如き構成とすることができる。従って、素子基板上の画像表示領域の周辺領域における、第１及び第２信号線の引き廻しを比較的簡素にすることが可能である。
【００１３】
以上の結果、本発明の第１の電気光学装置によれば、走査線又はデータ線を駆動する第１及び第２駆動回路は、位相差補正回路によって適切な動作を行なうことが可能となり、且つ、周辺領域におけるこれらの回路並びに第１及び第２信号線の平面レイアウトを簡素化することによって、素子基板の小型化及び装置全体の小型化が可能となる。
【００１４】
本発明の第２の電気光学装置は上記課題を解決するために、素子基板上における画像表示領域に、一定方向に延在する複数のデータ線及び該データ線に交差する方向に延在する複数の走査線と、前記データ線及び前記走査線を介して供給される信号によって駆動される画素部とを備えており、前記画像表示領域の周辺に位置する周辺領域に、第１クロック信号及び該第１クロック信号と逆位相の第２クロック信号に基づいて前記走査線及び前記データ線のうち一方の配線を駆動する第１駆動回路と、該第１駆動回路に対して前記画像表示領域を挟んで対向配置され且つ前記一方の配線の他端側に接続されると共に前記第１及び第２クロック信号に基づいて前記一方の配線を駆動する第２駆動回路と、前記第１及び第２クロック信号が外部回路から夫々供給される第１及び第２端子と、該第１及び第２端子と前記第１及び第２駆動回路との間に介在すると共に前記第１及び第２クロック信号間の位相差を補正する位相差補正回路と、前記第１端子から前記位相差補正回路までを分岐なしで接続して且つ前記位相差補正回路から前記第１及び第２駆動回路までを夫々接続して前記第１クロック信号を前記第１端子から前記位相差補正回路を介して前記第１及び第２駆動回路夫々へ供給する第１信号線と、前記第２端子から前記位相差補正回路までを分岐なしで接続して且つ前記位相差補正回路から前記第１及び第２駆動回路までを夫々接続して前記第２クロック信号を前記第２端子から前記位相差補正回路を介して前記第１及び第２駆動回路へ夫々供給する第２信号線とを備える。
【００１５】
本発明の第２の電気光学装置によれば、上述した第１の電気光学装置の場合と同様に、位相が補正された第１及び第２クロック信号に基づいて、配線が駆動され、画像表示が行われる。
【００１６】
ここで特に、第１信号線は、外部回路より第１クロック信号が供給される第１端子から位相差補正回路までの間を分岐なしで接続し、第２信号線は、外部回路より第２クロック信号が供給される第２端子から位相差補正回路までの間を分岐なしで接続する。更に、第１信号線は、位相差補正回路から第１駆動回路及び第２駆動回路までを夫々接続し、第２信号線についても、同じく位相差補正回路から第１駆動回路及び第２駆動回路までを夫々接続する。このとき、位相差補正回路が、第１及び第２信号線の夫々に対応する２系統の出力端子を有するように構成してもよい。或いは、第１及び第２信号線は夫々途中で分岐するように構成としてもよい。
【００１７】
このように構成されることにより、一つの位相差補正回路から、第１及び第２駆動回路の夫々に対して、互いに位相差の補正された第１及び第２クロック信号を供給することができる。ここで仮に、例えば、第１及び第２駆動回路の夫々に対応する二つの位相差補正回路を設ける場合を想定すると、第１及び第２端子から位相差補正回路までの間において、第１及び第２信号線が夫々途中で分岐するか、或いは、二つの位相差補正回路に対応する第１及び第２信号線並びに第１及び第２端子が必要となる。このような場合と比較して、本発明においては、素子基板上に余計なスペースを確保する必要がなく、また、素子基板上の構成を簡素化することができる。
【００１８】
以上の結果、本発明の第２の電気光学装置によれば、走査線又はデータ線を駆動する第１及び第２駆動回路は、位相差補正回路によって適切な動作を行なうことが可能となり、且つ、周辺領域におけるこれらの回路並びに第１及び第２信号線の平面レイアウトを簡素化することによって、素子基板の小型化及び装置全体の小型化が可能となる。
【００１９】
本発明の第２の電気光学装置の一態様では、前記位相差補正回路は、前記第１及び第２駆動回路に対して対称の位置に配置されている。
【００２０】
この態様によれば、位相差補正回路は、素子基板上の周辺領域のうち、例えば、第１及び第２駆動回路の夫々に対応する画像表示領域の二辺に隣接する一辺に対応する位置に配置される。この際、第１信号線又は第２信号線に関して、位相差補正回路から第１駆動回路までの配線距離と第２駆動回路までの配線距離とが等しくなるように、位相差補正回路が配置される。このように構成することによって、配線距離に応じた信号遅延が無視し得ない程度に生じる場合であっても、第１及び第２駆動回路間の駆動タイミングのずれが生じることは回避でき、結局、上述の信号遅延による悪影響を顕在化させないで済む。このように位相差補正回路を対称の位置に配置することは、実践上大変有利である。
【００２１】
本発明の第２の電気光学装置の他の態様では、前記第１信号線は、前記位相差補正回路から前記第１及び第２駆動回路までを夫々分岐なしで接続し、前記第２信号線は、前記位相差補正回路から前記第１及び第２駆動回路までを夫々分岐なしで接続する。
【００２２】
この態様によれば、第１信号線は、外部回路より第１クロック信号が供給される第１端子から位相差補正回路までの間、及び位相差補正回路から第１駆動回路までの間を分岐なしで接続する。一方、第２信号線は、第２クロック信号が供給される第２端子から位相差補正回路までの間、及び位相差補正回路から第１駆動回路までの間を分岐なしで接続する。従って、素子基板上の画像表示領域の周辺領域における、第１及び第２信号線の引き廻しを比較的簡素にすることが可能である。
【００２３】
本発明の第１又は第２の電気光学装置の他の態様では、前記素子基板に対向配置される対向基板を更に備えており、前記素子基板及び前記対向基板は、前記周辺領域においてシール材によって互いに貼り合わされており、前記第１及び第２駆動回路は、前記周辺領域のうち、前記シール材が配置されるシール領域の外周よりも内側の領域に配置される。
【００２４】
この態様によれば、第１及び第２駆動回路は、素子基板上の周辺領域のうち、従来、「デッドスペース」となっていたシール領域の外周よりも内側の領域に配置されることとなる。従って、素子基板の更なる小型化、及び装置全体の更なる小型化を図ることが可能となる。
【００２５】
この態様では、前記位相差補正回路は、前記周辺領域のうち、前記シール領域の外周よりも内側の領域に配置されてもよい。
【００２６】
このように配置されることにより、素子基板の更なる小型化、及び装置全体の更なる小型化を図ることが可能となる。
【００２７】
或いはこの態様では、前記第１及び第２信号線の少なくとも一部は、前記周辺領域のうち、前記シール領域の外周よりも内側の領域に配置されてもよい。
【００２８】
このように配置されることにより、素子基板の更なる小型化、及び装置全体の更なる小型化を図ることが可能となる。
【００２９】
本発明に第１又は第２の電気光学装置の他の態様では、前記周辺領域の一部に、複数の前記第１信号線及び複数の前記第２信号線が互いに近接して一定方向に延在し且つ交互に配列されている。
【００３０】
この態様によれば、第１及び第２信号線は、例えば、走査線を駆動する走査線駆動回路、データ線を駆動するデータ線駆動回路等の複数の駆動回路に接続され、更には、素子基板上の省スペース化を図るためにできる限り周辺領域のうち内側の領域、即ち、画像表示領域側の領域を、蛇行を含んで配線される。このため、周辺領域にはその一部に、複数の第１及び第２信号線が互いに近接して一定方向に延在する領域が存在する。ここで特に、このような領域においては、複数の第１信号線と複数の第２信号線とは、交互に配列されている。ここで一般には、クロック信号を転送する一の信号線と、これと同位相のクロック信号を転送する他の信号線とが互いに近接して配置されると、夫々の信号線より発生したクロックノイズが増幅し合うことがある。しかるに本態様の如く、互いに逆位相の第１及び第２信号線を近接して交互に配置することによって、クロックノイズを打ち消しあい、駆動回路の動作不具合を防止するができる。従って、本態様は、ノイズを低減する上で大変有利である。
【００３１】
本発明の電気光学装置としては、液晶装置や例えば電子ペーパなどの電気泳動装置、ＥＬ（エレクトロルミネッセンス）装置などがあげられる。
【００３２】
本発明の電子機器は上記課題を解決するために、上述した本発明の電気光学装置（但し、その各種態様も含む）を具備してなる。
【００３３】
本発明の電子機器は、上述した本発明の電気光学装置を具備してなるので、高品位の画像表示が可能な、投射型表示装置、液晶テレビ、携帯電話、電子手帳、ワードプロセッサ、ビューファインダ型又はモニタ直視型のビデオテープレコーダ、ワークステーション、テレビ電話、ＰＯＳ端末、タッチパネルなどの各種電子機器を実現できる。
【００３４】
本発明のこのような作用及び他の利得は次に説明する実施の形態から明らかにされる。
【００３５】
【発明の実施の形態】
以下、本発明の実施形態を図面に基づいて説明する。以下の実施形態は、本発明の電気光学装置をＴＦＴアクティブマトリクス駆動方式の液晶装置に適用したものである。
【００３６】
（第１実施形態）
本発明の電気光学装置に係る第１実施形態について、図１から図１０を参照して説明する。
【００３７】
（クロック信号位相差補正回路）
先ず、本実施形態に係るクロック信号位相差補正回路の構成及び動作について、図１から図４を参照して説明する。ここに図１は、本実施形態に係るクロック信号位相差補正回路の構成を示す回路図であり、図２は、それに係る各種信号の経時的変化を示すタイミングチャートである。図３は、本実施形態に係るクロック信号位相差補正回路における各信号経路の負荷容量を説明するための回路図であり、図４は、本実施形態に係るクロック信号位相差補正回路において、第２バッファー回路を多段のインバータ回路で構成した場合の回路図である。
【００３８】
本実施形態の電気光学装置では特に、クロック信号及び逆位相クロック信号を供給する入力部であるＣＬＹ及びＣＬＹＩＮＶと、後で詳述する各駆動回路との間に、双安定回路を有するクロック信号位相差補正回路５００が設けられている。クロック信号位相差補正回路５００は、外部の制御回路から供給されるクロック信号ＣＬＹ及び逆位相クロック信号ＣＬＹＩＮＶの位相を補正し、その後に各駆動回路に供給するように構成されている。従って、誤動作を生じさせることなく正常に或いは高精度で各駆動回路を駆動させることが可能となる。
【００３９】
より具体的には、図１に示すように、本実施形態のクロック信号位相差補正回路５００は、第１バッファー回路５０１、双安定回路５０２、及び第２バッファー回路５０３から構成されており、各回路はインバータ５０１ａ、５０１ｂ、５０２ａ、５０２ｂ、５０３ａ及び５０３ｂを備えて構成されている。
【００４０】
図２に示すように、クロック信号ＣＬＹが逆位相クロック信号ＣＬＹＩＮＶに対し、Ｒ１及びＲ１の地点で期間Ｔだけ位相差が生じたとしても、本実施形態における双安定回路５０２により、位相差が補正され、当該双安定回路５０２から出力した地点Ｒ３及びＲ３’では位相差が殆ど或いは実践上全く発生しない。
【００４１】
クロック信号位相差補正回路５００では、インバータ５０１ａ及び５０１ｂから構成されるバッファー回路５０１において、クロック信号ＣＬＹと逆位相クロック信号ＣＬＹＩＮＶを供給する回路におけるトランジスタの駆動能力を補うと共に、双安定回路５０２の一方のインバータ５０２ａの出力を他方のインバータ５０２ｂの入力に、また他方のインバータ５０２ｂの出力を一方のインバータ５０２ａの入力に夫々供給することによって、夫々のインバータ５０２ａ及び５０２ｂの入力信号に正帰還をかけて位相差を無くす構成となっている。
【００４２】
また、クロック信号位相差補正回路５００においては、双安定回路５０２の後に、第２バッファー回路５０３を設けており、この第２バッファー回路５０３の働きにより、双安定回路５０２の駆動能力の低下を防止している。
【００４３】
図３に示すように、クロック信号位相差補正回路５００においては、インバータＡ、Ｂ及びＣ若しくはインバータＡ’、Ｂ’及びＣ’により構成される信号伝送経路の容量負荷と、インバータＡ及びＣ’若しくはインバータＡ’及びＣにより構成される信号伝送経路の容量負荷とが同じになるように設計することが好ましい。従って、インバータＡ，Ａ’，Ｂ及びＢ’のサイズはほぼ同じに設計することが好ましい。これは、どちらかの経路の電位が支配的にならないようにして、確実に位相差補正を行えるようにするためである。
【００４４】
図４に示すように、例えば、クロック信号線及び逆位相クロック信号線に付加される容量が大きい場合には、何段かインバータ回路をカスケード接続した後、クロック信号線及び逆位相クロック信号線に接続するように構成してもよい。この際、カスケード接続されるインバータ回路は、前段のインバータ回路のサイズに対して約２〜４倍の大きさになるように設計する。
【００４５】
以上に説明したように本実施形態のクロック信号位相差補正回路５００は、クロック信号ＣＬＹ及び逆位相クロック信号ＣＬＹＩＮＶの位相を合わせるために、双安定回路５０２においてクロック信号線を引き回すことにより入力信号に正帰還をかけるように構成され、更には、クロック信号線の容量と駆動周波数に応じて駆動能力を補うために、多段にインバータを接続する構成をとっている。
【００４６】
（電気光学装置の全体構成）
次に、本実施形態に係る電気光学装置の全体構成について、図５及び図６を参照して説明する。ここに、図５は、本実施形態に係る電気光学装置の全体構成を示す平面図であり、図６は、図５のＨ−Ｈ’断面図である。ここでは、電気光学装置の一例である駆動回路内蔵型のＴＦＴアクティブマトリクス駆動方式の液晶装置を例にとる。
【００４７】
図５及び図６において、第１実施形態に係る電気光学装置では、ＴＦＴアレイ基板１０と対向基板２０とが対向配置されている。ＴＦＴアレイ基板１０と対向基板２０との間に液晶層５０が封入されており、ＴＦＴアレイ基板１０と対向基板２０とは、画像表示領域１０ａの周囲に位置するシール領域５２ａに設けられたシール材５２により相互に接着されている。
【００４８】
シール材５２は、両基板を貼り合わせるための、例えば光硬化性樹脂、熱硬化樹脂等からなり、製造プロセスにおいてＴＦＴアレイ基板１０上に塗布された後、紫外線照射、加熱等により硬化させられたものである。また、シール材５２中には、ＴＦＴアレイ基板１０と対向基板２０との間隔（基板間ギャップ）を所定値とするためのグラスファイバ或いはガラスビーズ等のギャップ材が散布されている。但し、このようにシール材５２中に散布するのに代えて又は加えて、特に大型の電気光学装置であれば、ギャップ材を液晶層５０中に散布してもよい。
【００４９】
シール材５２が配置されたシール領域５２ａの内側に並行して、画像表示領域１０ａの額縁領域を規定する遮光性の額縁遮光膜５３が、対向基板２０側に設けられている。但し、このような額縁遮光膜５３の一部又は全部は、ＴＦＴアレイ基板１０側に内蔵遮光膜として設けられてもよい。
【００５０】
本実施形態においては、画像表示領域１０ａの周辺に、周辺領域が規定されている。即ち、ＴＦＴアレイ基板１０の中央から見て、額縁遮光膜５３を含めた額縁遮光膜５３より縁寄りが周辺領域として規定されている。
【００５１】
周辺領域のうち、シール領域５２ａの外側の領域には、データ線に画像信号を所定のタイミングで供給することにより該データ線を駆動するデータ線駆動回路１０１及び外部回路接続端子１０２がＴＦＴアレイ基板１０の一辺（即ち、図５中で下辺）に沿って設けられており、走査線に走査信号を所定のタイミングで供給することにより、走査線を駆動する走査線駆動回路１０４が、この一辺に隣接する二辺（即ち、図５中で左右両辺）に沿って設けられている。尚、これらのＴＦＴアレイ基板１０上の回路構成及びその動作については後で詳述する。
【００５２】
また、対向基板２０の４つのコーナー部には、両基板間の上下導通をとる上下導通材１０６が配置されている。他方、ＴＦＴアレイ基板１０にはこれらの４つのコーナー部に対向する領域において上下導通端子が設けられている。これらにより、ＴＦＴアレイ基板１０と対向基板２０との間で電気的な導通をとることができる。
【００５３】
図６において、ＴＦＴアレイ基板１０上には、画素スイッチング用のＴＦＴや走査線、データ線等の配線が形成された後の画素電極９ａ上に、配向膜が形成されている。他方、対向基板２０上には、対向電極２１の他、格子状又はストライプ状の遮光膜２３、更には最上層部分に配向膜が形成されている。また、液晶層５０は、例えば一種又は数種類のネマティック液晶を混合した液晶からなり、これら一対の配向膜間で、所定の配向状態をとる。
【００５４】
尚、図５及び図６に示したＴＦＴアレイ基板１０上には、これらのデータ線駆動回路１０１、走査線駆動回路１０４等に加えて、画像信号線上の画像信号をサンプリングしてデータ線に供給するサンプリング回路、複数のデータ線に所定電圧レベルのプリチャージ信号を画像信号に先行して各々供給するプリチャージ回路、製造途中や出荷時の当該電気光学装置の品質、欠陥等を検査するための検査回路等を形成してもよい。
【００５５】
次に、第１実施形態に係る電気光学装置の画像表示領域１０ａ内の構成について、図７を参照しながら説明する。ここに図７は、電気光学装置の画像表示領域１０ａを構成するマトリクス状に形成された複数の画素における各種素子、配線等の等価回路である。
【００５６】
図７において、本実施形態における電気光学装置の画像表示領域１０ａ（図１参照）内にマトリクス状に形成された複数の画素部には、それぞれ、画素電極９ａと当該画素電極９ａをスイッチング制御するためのＴＦＴ３０とが形成されており、画像信号が供給されるデータ線６ａが当該ＴＦＴ３０のソースに電気的に接続されている。データ線６ａに書き込む画像信号Ｓ１、Ｓ２、…、Ｓｎは、この順に線順次に供給しても構わないが、本実施形態では特に、画像信号Ｓ１、Ｓ２、…、Ｓｎは、Ｎ個のパラレルな画像信号にシリアル−パラレル展開され、Ｎ本の画像信号線１１５から相隣接するＮ本のデータ線６ａ同士に対して、グループ毎に供給可能に構成されている。
【００５７】
画像表示領域外である周辺領域には、データ線６ａの一端（図７中で下端）が、サンプリング回路３０１を構成するスイッチング用回路素子の一例としてのＴＦＴ２０２に接続されている。このスイッチング用回路素子としては、図に示すようにｎチャネル型のＴＦＴ２０２でもよいし、ｐチャネル型のＴＦＴでもよい。また、相補型等のＴＦＴ等をあてることができる。この場合、このＴＦＴ２０２のドレインには、引き出し配線２０６を介して前記データ線６ａの図３中下端が接続され、該ＴＦＴ２０２のソースには、引き出し配線１１６を介して画像信号線１１５が接続されるとともに、該ＴＦＴ２０２のゲートには、データ線駆動回路１０１に接続されたサンプリング回路駆動信号線１１４が接続されている。そして、画像信号線１１５上の画像信号Ｓ１、Ｓ２、…、Ｓｎは、データ線駆動回路１０１からサンプリング回路駆動信号線１１４を通じてサンプリング信号が供給されるのに応じ、サンプリング回路３０１によりサンプリングされて、各データ線６ａに供給されるように構成されている。
【００５８】
このようにデータ線６ａに書き込む画像信号Ｓ１、Ｓ２、…、Ｓｎは、この順に線順次に供給してもかまわないし、相隣接する複数のデータ線６ａ同士に対して、グループ毎に供給するようにしてもよい。本実施形態では、図３に示すように、６本のデータ線６ａを一組として、これに対して一時に画像信号が供給されるようになっている。
【００５９】
また、ＴＦＴ３０のゲートに走査線３ａが電気的に接続されており、所定のタイミングで、走査線３ａにパルス的に走査信号Ｇ１、Ｇ２、…、Ｇｍを、この順に線順次で印加するように構成されている。画素電極９ａは、ＴＦＴ３０のドレインに電気的に接続されており、スイッチング素子であるＴＦＴ３０を一定期間だけそのスイッチを閉じることにより、データ線６ａから供給される画像信号Ｓ１、Ｓ２、…、Ｓｎを所定のタイミングで書き込む。
【００６０】
画素電極９ａを介して電気光学物質の一例としての液晶に書き込まれた所定レベルの画像信号Ｓ１、Ｓ２、…、Ｓｎは、対向基板に形成された対向電極との間で一定期間保持される。液晶は、印加される電圧レベルにより分子集合の配向や秩序が変化することにより、光を変調し、階調表示を可能とする。ノーマリーホワイトモードであれば、各画素の単位で印加された電圧に応じて入射光に対する透過率が減少し、ノーマリーブラックモードであれば、各画素の単位で印加された電圧に応じて入射光に対する透過率が増加され、全体として電気光学装置からは画像信号に応じたコントラストをもつ光が出射する。
【００６１】
ここで保持された画像信号がリークするのを防ぐために、画素電極９ａと対向電極２１（図５及び図６参照）との間に形成される液晶容量と並列に蓄積容量７０を付加する。この蓄積容量７０は、走査線３ａに並んで設けられ、固定電位側容量電極を含むと共に所定電位とされた容量線３００を含んでいる。この蓄積容量７０によって、各画素電極における電荷保持特性は向上されている。尚、容量線３００の電位は、一つの電圧値に常時固定してもよいし、複数の電圧値に所定周期で振りつつ固定してもよい。
【００６２】
ＴＦＴアレイ基板１０上には、上述の上下導通材１０６が接合される上下導通端子に接続され、ＴＦＴアレイ基板１０上の４つのコーナー部を通過するように対向電極電位線６００が配線されている。ここで、上下導通材１０６及び対向電極電位線５０３を介して、対向電極２１に対して所定電位が供給される。これらの電位供給によって、上述のような、画素電極９ａ及び対向電極２１の両電極間に挟持された液晶の駆動が可能となっている。
【００６３】
（クロック信号位相差補正回路の配置構成）
次に、ＴＦＴアレイ基板１０上における、クロック信号位相差補正回路５００の回路レイアウト及びこれに接続された各種配線の配線レイアウトについて、図８を参照して説明する。尚、図５及び図７に示した走査線駆動回路１０４に関して、以下において図８を参照して説明を行うにあたり、平面的に見て図８の右側に位置する走査線駆動回路１０４Ｒ、及び、左側に位置する走査線駆動回路１０４Ｌのように符号を付して称することとする。
【００６４】
図８に示すように、周辺領域に配置された外部回路接続端子１０２は、ＴＦＴアレイ基板１０内に外部回路（図示省略）からのクロック信号ＣＬＹを入力するクロック信号端子５１１及び逆位相クロック信号ＣＬＹＩＮＶを入力する逆位相クロック信号端子５１２を備えてなる。クロック信号端子５１１及び逆位相クロック信号端子５１２は互いに近接して配置されている。尚、外部回路接続端子１０２は、クロック信号端子５１１及び逆位相クロック信号端子５１２と共に、他の複数の端子を含んで構成されているが、特に本発明に直接関係しない他の端子に関しては、説明及びそれらの図示を省略している。
【００６５】
本実施形態においてクロック信号位相差補正回路５００は、図８に示すように、周辺領域における図８平面上の右下の位置、即ち、本発明に係る「第１駆動回路」の一例たる走査線駆動回路１０４Ｒと、クロック信号端子５１１及び逆位相クロック信号端子５１２との間の位置に配置されている。そして、クロック信号位相差補正回路５００は、本発明に係る「第１信号線」の一例たるクロック信号線５２１を介してクロック信号端子５１１に接続されており、また、本発明に係る「第２信号線」の一例たる逆位相クロック信号線５２２を介して逆位相クロック信号端子５１２に接続されている。このように接続されることにより、クロック信号位相差補正回路５００には、クロック信号ＣＬＹ及び逆位相クロック信号ＣＬＹＩＮＶが入力される。ここで好ましくは、クロック信号端子５１１及び逆位相クロック信号端子５１２は、複数の端子を含む外部回路接続端子１０２のうち、図８平面上の右端寄りの位置に配置される端子として構成されている。このように構成することにより、クロック信号端子５１１及び逆位相クロック信号端子５１２からクロック位相差補正回路５００までの、クロック信号線５２１及び逆位相クロック信号線５２２の配線距離をより短くすることができ、配線距離に起因する信号遅延等が防止されることとなる。尚、外部回路接続端子１０２において、クロック信号端子５１１とクロック信号端子５１２が互いに逆の位置に配置されてもよく、この場合は、クロック信号線５２１は、逆位相クロック信号線５２２の内側、即ち画像表示領域１０ａ側を、クロック信号線５２１に近接して沿うように配線されることとなる。
【００６６】
次に、クロック信号位相差補正回路５００は、クロック信号線５２１及び逆位相クロック信号線５２２を介して走査線駆動回路１０４Ｒに接続されている。
【００６７】
続いて、走査線駆動回路１０４Ｒから出力されたクロック信号線５２１及び逆位相クロック信号線５２２は、周辺領域のうち画像表示領域１０ａを挟んで外部回路接続端子１０２に対向する領域であって、シール領域５２ａの外側の領域を配線され、図８平面上の左側に配置された、本発明に係る「第２駆動回路」の一例たる走査線駆動回路１０４Ｌに接続されている。
【００６８】
以上のように接続されることにより、クロック信号位相差補正回路５００によって互いに位相差の補正されたクロック信号ＣＬＹ及び逆位相クロック信号ＣＬＹＩＮＶが、走査線駆動回路１０４Ｒ及び走査線駆動回路１０４Ｌに入力される。
【００６９】
ここで、図９及び図１０を参照して、走査線駆動回路１０４Ｒの詳細構成、及び、クロック信号位相差補正回路５００と走査線駆動回路１０４Ｒとの配線接続方法についてより具体的に、以下に説明を加える。ここに、図９は、本実施形態に係る走査線駆動回路１０４Ｒと、クロック位相差補正回路５００との間の配線接続方法を示したブロック回路図であり、図１０は、図９との比較例を示したブロック回路図である。尚、図９及び図１０において、図８に示した走査線駆動回路１０４Ｒ及びクロック位相差補正回路５００以外の他の構成要素については図示を省略している。
【００７０】
図９に示すように、本実施形態の場合、走査線駆動回路１０４Ｒは、シフトレジスタ１４０を含んで構成されており、走査線３ａに供給される走査信号Ｇ１、Ｇ２、…、Ｇｍが、シフトレジスタ１４０の各段ＳＲ（ｉ）（但し、ｉ＝０、１、２、３、…、ｍ）から順次出力されるように構成されている。より具体的には、シフトレジスタ１４０は、各段ＳＲ（ｉ）に、例えば、クロックドインバータ又はトランスファーゲート等のゲート手段を備えており、一段毎に交互にクロック信号ＣＬＹ及び逆位相クロック信号ＣＬＹＩＮＶを入力することにより、クロック信号ＣＬＹの半周期に同期したタイミングで、走査線３ａに対する走査信号Ｇ１、Ｇ２、…、Ｇｍを順次転送するように構成されている。
【００７１】
一方、クロック信号位相差補正回路５００の出力側に接続されたクロック信号線５２１及び逆位相クロック信号線５２２は、走査線駆動回路１０４Ｒを通過するように配線され、続いて、画像表示領域１０ａを挟んで反対側に位置する走査線駆動回路１０４Ｌ（図８参照）に到達するよう配線される。そして、本実施形態では図９に示すように、クロック信号線５２１は、配線５２１´を介してシフトレジスタ１４０の各段ＳＲ（ｉ）に接続されており、逆位相クロック信号線５２２は、配線５２２´を介して同じくシフトレジスタ１４０の各段ＳＲ（ｉ）に接続されている。このように接続されることにより、クロック信号位相差補正回路５００によって互いに位相差の補正されたクロック信号ＣＬＹ及び逆位相クロック信号ＣＬＹＩＮＶが、シフトレジスタ１４０Ｒの各段ＳＲ（ｉ）に供給され、走査線駆動回路１４０は誤動作を生じることなく、良好な走査信号の出力が可能となっている。尚、クロック信号線５２１及び逆位相クロック信号線５２２と、シフトレジスタ１４０の各段ＳＲ（ｉ）との接続関係は、図８平面上の左側に配置された走査線駆動回路１０４Ｌにおいても同様である。
【００７２】
ここで本実施形態では特に、図９に示すように、クロック信号位相差補正回路５００から出力されたクロック信号線５２１及び逆位相クロック信号線５２２は、分岐なしで走査線駆動回路１０４Ｒへ入力されるよう配線され、続いて走査線駆動回路１４０を通過後においても、分岐なしで走査線駆動回路１０４Ｌ側へ配線される。
【００７３】
これに対して、図１０に示した比較例の場合、クロック信号線５２１及び逆位相クロック信号線５２２は、走査線駆動回路１０４Ｒの前段において分岐し、分岐されたクロック信号線５３１及び逆位相クロック信号線５３２が更に、走査線駆動回路１０４Ｌ側へ配線される。この比較例の場合は、走査線駆動回路１０４Ｌのために余分に必要となる配線、即ち、クロック信号線５３１及び逆位相クロック信号線５３２たる配線を設けるがために、ＴＦＴアレイ基板１０の外周を広げることによって該ＴＦＴアレイ基板１０上に余分にスペースを確保する必要がある。
【００７４】
以上図９及び図１０を参照しての比較例との比較により明らかなように、本実施形態では、クロック信号線５２１及び逆位相クロック信号線５２２を分岐させずに、比較的簡素な配線構成を採ることによって、ＴＦＴアレイ基板１０の小型化、及び装置全体の小型化を図ることが可能となっている。
【００７５】
以上をまとめると、本実施形態では、クロック信号線５２１及び逆位相クロック信号線５２２は、クロック信号端子５１１及び逆位相クロック信号端子５１２とクロック信号位相差補正回路５００との間、クロック信号位相差補正回路５００と走査線駆動回路１０４Ｒとの間、及び走査線駆動回路１０４Ｒと走査線駆動回路１０４Ｌとの間を、途中で分岐することなく接続している。そして、このように接続することによって、走査線駆動回路Ｌ及び走査線駆動回路Ｒの両者に対して、一つのクロック信号位相差補正回路５００から、互いに位相差の補正されたクロック信号ＣＬＹ及び逆位相クロック信号ＣＬＹＩＮＶを供給することが可能となっている。従って、最小個数のクロック信号位相差補正回路によって、良好な駆動回路の動作が可能であり、且つ、装置全体の小型化を図ることが可能となっている。
【００７６】
（第２実施形態）
本発明の電気光学装置に係る第２実施形態について、図１１を参照して説明する。ここに図１１は、図８と同趣旨の図として示すものであり、第２実施形態に係る電気光学装置における、クロック信号位相差補正回路５００の配置構成、及び各種配線の接続方法を示す平面図である。
【００７７】
第２実施形態は、上述の第１実施形態と比較して、クロック信号位相差補正回路の基板平面上の配置方法が異なる。その他の画像表示領域内の回路構成及びその動作、並びに電気光学装置の全体構成については第１実施形態と同様である。このため以下においては、第１実施形態と異なる構成について説明する。また、図１から図８示した第１実施形態と同様の構成要素には同様の参照符号を付し、それらの説明は省略する。尚、以下において、第１実施形態において説明したクロック信号線５２１及び逆位相クロック信号線５２２に関して、クロック信号位相差補正回路５００の入力側において“ｂ”の符号を付し、出力側において“ａ”の符号を付して称する。即ち、例えば入力側における“クロック信号線５２１ｂ”のように称する。更に、クロック信号位相差補正回路５００の出力側においては、走査線駆動回路１０４Ｒに接続される方に“Ｒ”の符号を付し、走査線駆動回路１０４Ｌに接続される方に“Ｌ”の符号を付して称する。即ち、例えば“クロック信号線５２１ａＲ”、或いは“クロック信号線５２１ａＬ”のように称して説明を行う。
【００７８】
図１１に示すように、本実施形態では、クロック信号位相差補正回路５００は、シール領域５２ａよりも外側の領域のうち、外部回路接続端子１０２と画像表示領域表示領域１０ａを挟んで対向する位置であって、画像表示領域１０ａのＸ方向の幅を二分する中心線上に配置されている。そして、クロック信号位相差補正回路５００は、図１１に示すように、シール領域５２ａより外側の領域内をＴＦＴアレイ基板１０の外周に沿うように配線されたクロック信号線５２１ｂを介してクロック信号端子５１１に接続されており、また、クロック信号線５２１ｂの内側を該クロック信号線５２１ｂと近接して沿うように配線された逆位相クロック信号線５２２ｂを介して逆位相クロック信号端子５１２に接続されている。
【００７９】
尚、第１実施形態の場合と同様に、外部回路接続端子１０２において、クロック信号端子５１１とクロック信号端子５１２とが互いに逆の位置に配置されてもよく、この場合は、クロック信号線５２１ｂは、逆位相クロック信号線５２２ｂの内側、即ち画像表示領域１０ａ側を、クロック信号線５２１ｂに近接して沿うように配線されることとなる。
【００８０】
このように接続されることにより、クロック信号位相差補正回路５００には、クロック信号ＣＬＹ及び逆位相クロック信号ＣＬＹＩＮＶが入力される。
【００８１】
次に、クロック信号位相差補正回路５００は、クロック信号線５２１ａＲ及び逆位相クロック信号線５２２ａＲを介して図１１における右側に配置された走査線駆動回路１０４Ｒに接続されており、一方、クロック信号線５２１ａＬ及び逆位相クロック信号線５２２ａＬを介して図１１における左側に配置された走査線駆動回路１０４Ｌに接続されている。このように接続されることにより、クロック信号位相差補正回路５００の上述のような動作によって互いに位相差の補正されたクロック信号ＣＬＹ及び逆位相クロック信号ＣＬＹＩＮＶが、走査線駆動回路１０４Ｒ及び走査線駆動回路１０４Ｌに入力される。
【００８２】
ここで、本実施形態では好ましくは、逆位相クロック信号線５２２ａＲは、クロック信号線５２１ａＲの内側、即ち画像表示領域１０ａ側を、クロック信号線５２１ａＲに近接して沿うように配置されている。このように配置されることにより、図１１に示すＴＦＴアレイ基板１０上の右上の領域において、４本の信号配線が、ＴＦＴアレイ基板１０の外周側から画像表示領域１０ａの方向へ、クロック信号線５２１ｂ、逆位相クロック信号線５２２ｂ、クロック信号線５２１ａＲ、逆位相クロック信号線５２２ａＲの順で、並列に近接して配線されている。即ち、上記領域においては、クロック信号線と逆位相クロック信号線が交互に並んで配置されることとなる。従って、互いに近接するクロック信号線５２１ａＲと逆位相クロック信号線５２２ｂは、夫々から発生する信号のノイズをキャンセルし合うこととなり、例えば、逆位相クロック信号線同士が互いに近接して配置された場合に生じるノイズの増幅による走査線駆動回路１０４Ｒの動作不具合を防止することが可能となっている。尚、上述のように、クロック信号線５２１ｂと逆位相クロック信号線５２２ｂが互いに逆の位置に配置された場合は、クロック信号位相差補正回路５００の出力後の信号配線についても、図１１に示した配置と比較して互いに逆の位置に配置することで、信号配線のノイズによる不具合を防止できることは言うまでもない。
【００８３】
以上のように構成されることにより、クロック信号位相差補正回路５００から走査線駆動回路１０４Ｒまでの配線距離と、クロック信号位相差補正回路５００から走査線駆動回路１０４Ｌまでの配線距離は等しくなり、両者の配線時定数は等しくなっている。このことによって、例えば、クロック信号位相差補正回路５００から走査線駆動回路１０４Ｒ及び走査線駆動回路１０４Ｌまでの間に信号遅延が無視し得ない程度に生じる場合においても、左右の走査線駆動回路までの夫々の信号遅延量は等しいので、信号遅延に起因して左右の走査線駆動回路の間で駆動タイミングのずれが生じること等の不具合を防止することが可能となっている。
【００８４】
従って、本実施形態に係る電気光学装置においては、クロック信号位相差補正回路から、クロック信号と逆位相クロック信号の位相のずれによる走査線駆動回路の誤動作が防止され、且つ、左右の走査線駆動回路の間のタイミングずれが防止されており、正常な画像表示が可能となっている。
【００８５】
（第３実施形態）
本発明の電気光学装置に係る第３実施形態について、図１２及び図１３を参照して説明する。ここに図１２は、図５と同趣旨の図として、本実施形態に係る電気光学装置の全体構成を示す図であり、図１３は、図８と同趣旨の図として、第３実施形態に係る電気光学装置における、クロック信号位相差補正回路５００の配置構成、及び各種配線の接続方法を示す平面図である。
【００８６】
第３実施形態は、上述の第１実施形態及び第２実施形態と比較して、走査線駆動回路、クロック信号位相差補正回路、及びクロック信号位相差補正回路と走査線駆動回路との間の信号配線の配置方法が異なる。その他の画像表示領域内の回路構成及びその動作等については第１実施形態或いは第２実施形態と同様である。このため以下においては、第１実施形態及び第２実施形態と異なる構成について説明する。尚、図１から図１１示した第１実施形態及び第２実施形態と同様の構成要素には同様の参照符号を付し、それらの説明は省略する。
【００８７】
本実施形態では、図１２に示すように、走査線駆動回路１０４Ｒ及び走査線駆動回路１０４Ｌは、画像表示領域１０ａの周辺領域において、画像表示領域１０ａの左右両側の互いに対向する２辺に沿って、シール領域５２ａの外周よりも内側の領域に設けられている。
【００８８】
このように配置されることにより、周辺領域のうち、画像表示領域１０ａとシール領域５２ａの間の領域、即ち、従来、第１実施形態、又は第２実施形態において特に何も配置されない「デッドスペース」となっていた領域を利用して走査線駆動回路１０４Ｒ及び走査線駆動回路１０４Ｌを配置することが可能となり、装置全体の小型化を図ることが可能となっている。
【００８９】
次に、図１３に示すように、クロック信号端子５１１及び逆位相クロック信号端子５１２、クロック信号位相差補正回路５００、並びに、走査線駆動回路１０４Ｒ及び走査線駆動回路１０４Ｌは、互いに第１実施形態と同様の関係にて、電気的に接続されている。
【００９０】
ここで本実施形態では特に、図１３に示すように、クロック信号位相差補正回路５００は、シール領域５２ａの外周よりも内側に配置されている。更には、走査線駆動回路１０４Ｒから出力されたクロック信号線５２１ａ及び逆位相クロック信号線５２１ａは、周辺領域のうち画像表示領域１０ａを挟んで外部回路接続端子１０２に対向する領域において、シール領域５２ａの外周よりも内側の領域に配線され、図１３平面上の左側に配置された走査線駆動回路１０４Ｌに接続されている。即ち、クロック信号位相差補正回路５００、並びにクロック信号線５２１ａ及び逆位相クロック信号線５２２ａは、上述の走査線駆動回路１０４Ｒ及び走査線駆動回路１０４Ｌと共に、従来、第１実施形態、又は第２実施形態において特に何も配置されない「デッドスペース」となっていた領域を利用して配置されている。従って、第１実施形態よりも更にＴＦＴアレイ基板１０及び装置全体の更なる小型化を図ることが可能である。
【００９１】
尚、図１３に示すように、本実施形態においては、クロック信号線５２１ａ及び逆位相クロック信号線５２２ａと、上述の容量線３００或いは対向電極電位線６００とが、基板平面上で交差する部分が存在するが、このような部分では、前者を一層とし、後者を他の一層とする二層構造として構成することが可能である。このとき、両者の配線を共に、例えば、アルミニウム等を含む低抵抗の金属膜或いは合金膜によって構成すれば、配線の信号遅延を防止することが可能である。
【００９２】
また、本実施形態では、走査線駆動回路１０４Ｒ、走査線駆動回路１０４Ｌ、クロック信号位相差補正回路５００、クロック信号線５２１ａ、及び逆位相クロック信号線５２２ａは、シール領域５２ａの外周の内側であって、シール領域５２ａの一部に重なるよう配置されてもよい。或いは、これらは額縁遮光膜５３に完全に覆われるよう配置されてもよい。いずれの場合であっても、シール領域５２ａの外周より外側の領域に比較的大きな領域を確保する必要はなく、装置全体の小型化を図ることが可能である。
【００９３】
以上、本実施形態に係る電気光学装置においては、クロック信号位相差補正回路５００によって走査線駆動回路１０４Ｒ及び走査線駆動回路１０４Ｌの誤動作を防止しつつ、装置全体を更に小型化することが可能である。
【００９４】
（第３実施形態の変形形態）
ここで、上述した第３実施形態の変形形態について、図１４を参照して説明する。ここに、図１４は夫々、図８と同趣旨の図として、第３実施形態の変形形態における、クロック信号位相差補正回路５００の配置構成、及び各種配線の接続方法を示す平面図である。
【００９５】
図１４に示すように、本変形形態において、クロック信号位相差補正回路５００は、上述の第３実施形態と同様に、シール領域５２ａの外周よりも内側に設けられており、且つ、上述の第２実施形態のように、外部回路接続端子１０２と画像表示領域表示領域１０ａを挟んで対向する領域であって、画像表示領域１０ａのＸ方向の幅を二分する中心線上に配置されている。このとき、左右両側の走査線駆動回路１０４、クロック信号線５２１ａ、逆位相クロック信号線５２２ａ、及びクロック信号位相差補正回路５００の間の電気的接続関係は、上述の第２実施形態と同様である。
【００９６】
このように構成されていることにより、クロック信号位相差補正回路５００から走査線駆動回路１０４Ｒまでの配線距離と、クロック信号位相差補正回路５００から走査線駆動回路１０４Ｌまでの配線距離は等しくなり、両者の配線時定数は等しくなっている。よって、例えば、クロック信号位相差補正回路５００から走査線駆動回路１０４Ｒ及び走査線駆動回路１０４Ｌまでの間に信号遅延が生じる場合においても、左右の走査線駆動回路までの夫々の信号遅延量は等しく、左右の走査線駆動回路の間で駆動タイミングのずれが生じること等の不具合を防止することが可能となっている。更には、第２実施形態においてクロック信号位相差補正回路５００のために設けられていたシール領域５２ａの外周より外側の領域を削減することができ、装置全体の更なる小型化を図ることが可能となっている。
【００９７】
尚、本変形形態においても同様に、左右両側の走査線駆動回路１０４、クロック信号線５２１ａ、逆位相クロック信号線５２２ａ、及びクロック信号位相差補正回路５００は、シール領域５２ａの一部と重なるように配置されてもよく、或いは、額縁遮光膜５３に完全に覆われるように配置されてもよい。いずれにしても、シール領域５２ａの外周より外側、即ち、ＴＦＴアレイ基板１０に対向して配置される対向基板２０の外周よりも外側の領域の省スペース化を図ることが可能である。
【００９８】
（電子機器）
次に、以上詳細に説明した電気光学装置をライトバルブとして用いた電子機器の一例たる投射型カラー表示装置の実施形態について、その全体構成、特に光学的な構成について説明する。ここに、図１５は、投射型カラー表示装置の図式的断面図である。
【００９９】
図１５において、本実施形態における投射型カラー表示装置の一例たる液晶プロジェクタ１１００は、駆動回路がＴＦＴアレイ基板上に搭載された液晶装置を含む液晶モジュールを３個用意し、それぞれＲＧＢ用のライトバルブ１００Ｒ、１００Ｇ及び１００Ｂとして用いたプロジェクタとして構成されている。液晶プロジェクタ１１００では、メタルハライドランプ等の白色光源のランプユニット１１０２から投射光が発せられると、３枚のミラー１１０６及び２枚のダイクロックミラー１１０８によって、ＲＧＢの三原色に対応する光成分Ｒ、Ｇ及びＢに分けられ、各色に対応するライトバルブ１００Ｒ、１００Ｇ及び１００Ｂにそれぞれ導かれる。この際特に、Ｂ光は、長い光路による光損失を防ぐために、入射レンズ１１２２、リレーレンズ１１２３及び出射レンズ１１２４からなるリレーレンズ系１１２１を介して導かれる。そして、ライトバルブ１００Ｒ、１００Ｇ及び１００Ｂによりそれぞれ変調された三原色に対応する光成分は、ダイクロックプリズム１１１２により再度合成された後、投射レンズ１１１４を介してスクリーン１１２０にカラー画像として投射される。
【０１００】
本発明は、上述した実施形態に限られるものではなく、請求の範囲及び明細書全体から読み取れる発明の要旨或いは思想に反しない範囲で適宜変更可能であり、そのような変更を伴なう電気光学装置、その駆動回路及び電子機器もまた本発明の技術的範囲に含まれるものである。
【図面の簡単な説明】
【図１】本発明に係る電気光学装置のクロック信号位相差補正回路の構成を示す回路図である。
【図２】図１のクロック信号位相差補正回路における各位置の信号を示すタイミングチャート図である。
【図３】クロック信号位相差補正回路における各信号経路の負荷容量を説明するための回路図である。
【図４】クロック信号位相差補正回路において、第２バッファー回路を多段のインバータ回路で構成した場合の回路図である。
【図５】第１実施形態における電気光学装置の全体構成を示す平面図である。
【図６】図５のＨ−Ｈ’断面図である。
【図７】電気光学装置の画像表示領域を構成するマトリクス状に形成された複数の画素における各種素子、配線等の等価回路である。
【図８】第１実施形態における、クロック信号位相差補正回路の配置構成及び各種配線の接続方法を示す平面図である。
【図９】第１実施形態における、走査線駆動回路１０４Ｒと、クロック位相差補正回路５００との間の配線接続方法を示したブロック回路図である。
【図１０】図９との比較例を示したブロック回路図である。
【図１１】第２実施形態における、クロック信号位相差補正回路の配置構成及び各種配線の接続方法を示す平面図である。
【図１２】第３実施形態における、電気光学装置の全体構成を示す平面図である。
【図１３】第３実施形態における、クロック信号位相差補正回路の配置構成及び各種配線の接続方法を示す平面図である。
【図１４】第３実施形態の変形形態における、クロック信号位相差補正回路の配置構成及び各種配線の接続方法を示す平面図である。
【図１５】本発明の電子機器の実施形態である投射型カラー表示装置の一例たるカラー液晶プロジェクタを示す図式的断面図である。
【符号の説明】
１０・・・ＴＦＴアレイ基板、１０ａ・・・画像表示領域、２０・・・対向基板、２１・・・対向電極、５０・・・液晶層、５２・・・シール材、５２ａ・・・シール領域、７０・・・蓄積容量、１０１・・・データ線駆動回路、１０２・・・外部回路接続端子、１０４・・・走査線駆動回路、１０６・・・上下導通材、１０ａ・・・画像表示領域、３００・・・容量線、５００・・・クロック信号位相差補正回路、５０１・・・第１バッファー回路、５０２・・・双安定回路、５０３・・・第２バッファー回路、５１１・・・クロック信号線端子、５１２・・・逆位相クロック信号端子、５２１・・・クロック信号線、５２２・・・逆位相クロック信号線、６００・・・対向電極電位線
【図１】
2005003988.tif 000003
【図２】
2005003988.tif 000004
【図３】
2005003988.tif 000005
【図４】
2005003988.tif 000006
【図５】
2005003988.tif 000007
【図６】
2005003988.tif 000008
【図７】
2005003988.tif 000009
【図８】
2005003988.tif 000010
【図９】
2005003988.tif 000011
【図１０】
2005003988.tif 000012
【図１１】
2005003988.tif 000013
【図１２】
2005003988.tif 000014
【図１３】
2005003988.tif 000015
【図１４】
2005003988.tif 000016
【図１５】
2005003988.tif 000017